(57)【要約】　　　（修正有）【課題】配管端部及び管継手の接続もしくはロックを確立することができ、かつ認識可能である管継手を提供する。【解決手段】収容チャンバ３内に、収容チャンバ開口部６を狭窄する係止要素７と、係止要素７と収容チャンバ壁部との間に、自由空間）が設けられ、係止要素７が、係止突出部５によって、自由空間内へと収容チャンバ開口部６を拡開しつつ押圧される第１の差込み状態と、係止突出部５が、係止要素７を背後から把持し、係止要素７が、自由空間を解放しつつ、収容チャンバ開口部６を狭窄する状態へと戻される第２の差込み状態の移行可能であり、インタロック要素１４が、第１の差込み状態にあっては自由空間の外側に配設され、第２の差込み状態にあっては自由空間内へと挿入可能である管継手。【選択図】　　　　図４
2004003635.tif 000002
【特許請求の範囲】
【請求項１】
少なくとも１つの端面に、外に向かって突出する少なくとも１つの係止突出部（５）を有する配管端部（４）を収容するための収容チャンバ（３）を備えるケース（２）を有する配管のための管継手（１）において、
収容チャンバ（３）内に、収容チャンバ開口部（６）を狭窄する少なくとも１つの係止要素（７）が設けられていること、また、係止要素（７）と収容チャンバ壁部（１０）との間に、少なくとも１つの自由空間（１３）が設けられていること、
係止要素（７）が、配管端部（４）を差し込む際に第１の差込み状態へと移行可能であり、この第１の差込み状態にあっては、係止要素（７）が、係止突出部（５）によって、自由空間（１３）内へと収容チャンバ開口部（６）を拡開しつつ押圧されていること、
係止要素（７）が、最終的な第２の差込み状態へと移行可能であり、この第２の差込み状態にあっては、係止突出部（５）が、係止要素（７）を背後から把持し、係止要素（７）が、自由空間（１３）を解放しつつ、収容チャンバ開口部（６）を狭窄するその元の状態へと戻されていること、
インタロック要素（１４）が、収容チャンバ壁部（１０）の少なくとも１つのインタロック開口部（１６）内での差込み状態をコントロールするために設けられていること、
インタロック要素（１４）が、第１の差込み状態にあっては自由空間（１３）の外側に配設されていること、また、インタロック要素（１４）が、第２の差込み状態にあっては自由空間（１３）内へと挿入可能であること、
を特徴とする管継手。
【請求項２】
収容チャンバ（３）内に、差込み方向で係止要素（７）の後方に配設された少なくとも１つの、管継手（１）と配管端部（４）との間の接続部をシールするためのシール要素が設けられていることを特徴とする請求項１に記載の管継手。
【請求項３】
係止要素（７）が、少なくとも部分的に弾性的に形成されていることを特徴とする請求項１又は２に記載の管継手。
【請求項４】
係止要素（７）が、収容チャンバ（３）の向かい合って位置する側面に配設された２つの係止アーム（８）を備え、これら両方の係止アーム（８）が、それぞれ１つの自由空間（１３）内へと押込み可能であることを特徴とする請求項１〜３のいずれか１つに記載の管継手。
【請求項５】
係止要素（７）が、Ｕ字形に形成されており、両方のＵ字脚部が、向かい合って位置する両方の係止アーム（８）を構成することを特徴とする請求項４に記載の管継手。
【請求項６】
インタロック要素（１４）が、収容チャンバ壁部（１０）の少なくとも１つの開口部内へと係合し、第１の差込み状態にあっては、収容チャンバ壁部（１０）から外へと突出するように構成されていることを特徴とする請求項１〜５のいずれか１つに記載の管継手。
【請求項７】
インタロック要素（１４）が、向かい合って位置する２つのインタロックアーム（１５）を備え、これら両方のインタロックアーム（１５）が、配管端部（４）の第２の差込み状態にあっては、収容チャンバ（３）の向かい合って位置する２つの自由空間（１３）内へと挿入可能であることを特徴とする請求項１〜６のいずれか１つに記載の管継手。
【請求項８】
インタロック要素（１４）が、Ｕ字形に形成されており、Ｕ字脚部が、向かい合って位置する両方のインタロックアーム（１５）を構成することを特徴とする請求項７に記載の管継手。
【請求項９】
インタロック要素が、挿入された状態にあっては、少なくとも１つの自由空間（１３）内への係止要素（７）の押込みを阻止し、これにより、管継手（１）と配管端部（４）の係止接続部の不用意な解放を阻止するように構成されていることを特徴とする請求項１〜８のいずれか１つに記載の管継手。
【請求項１０】
収容チャンバ（３）と向かい合って位置する側に設けられた継手端部（１９）が、合成物質管又はゴムホースをその上に差し込むための刺の輪郭を備えることを特徴とする請求項１〜９のいずれか１つに記載の管継手。
【請求項１１】
収容チャンバ（３）と向かい合って位置する側に設けられた継手端部（１９）が、収容チャンバ（３）の方向に狭窄する横断面が円形の溝を備えることを特徴とする請求項１〜９のいずれか１つに記載の管継手。
【発明の詳細な説明】
【０００１】
【発明の属する技術分野】
本発明は、少なくとも１つの端面に、配管端部を収容するための収容チャンバを備えるケースを有する配管のための管継手に関する。−配管は、本発明の枠内では、特に液状又はガス状の媒体のための配管を意味し、その際、配管は、特に合成物質、ゴム又は金属から成る。配管端部は、この場では、また以下では、特に、収容チャンバ内へと差込み可能である端部側のプラグを有する配管端部を意味する。この場合、プラグは、独立した構造要素として配管端部に設けることができ、配管に接続することができる。合成物質から成る配管の場合は、プラグが、適当な輪郭要素、例えばもみの木の輪郭を介して配管の内側に固着することができる。しかしながらまた、プラグは、合成物質から成る配管の端部と物質閉塞的に接続すること、例えば、回転溶接することができる。ゴムから成る配管の場合は、配管内へと挿入されたプラグが、機能的に付加的に固定金具でもって固着されている。配管が金属から成る場合は、プラグの幾何学形状が、通常は、配管端部に形成されている。その際、即ち、プラグは、いかなる独立した構造部分でもない。−基本的に、本発明による管継手は、両方の端面に、配管端部を収容するための収容チャンバを備える。しかしながらまた、管継手が、その第２の端面に継手端部を備え、この継手端部上に、配管、特に柔軟な配管、もしくはホース導管として形成された配管が挿入可能であることも、本発明の枠内にある。その際、機能的に外側に刻まれた刺の輪郭が継手端部に設けられている。更に、この継手端部は、しかしながらまた、この継手端部が例えば合成物質導管と物質閉塞的に接続することができるようにも形成することができる。その際、継手端部は、管壁部を収容するためのリング溝を備え、このリング溝の幅は、溝の深さの方向に先細る。
【０００２】
【従来の技術】
実務から公知の管継手では、管継手に接続すべき配管の配管端部が、通常、収容チャンバ内にロックされる。通常、管継手もしくは収容チャンバ内には、特にシールリングの形をした少なくとも１つのシール要素が存在し、このシール要素でもって、管継手と配管端部との間の係止接続部がシールされる。実務から公知のこれらの配管では、外からは、配管端部もしくはプラグが収容チャンバ内に正確にロックされているかどうかを示すいかなる目視点検要素も存在しないという相当な問題がある。接続部を組み立てる際は、係止接続部が確立されることなく、もしくは係止接続部が正確に確立されることなく、配管端部もしくはプラグが管継手の収容チャンバ内へと差し込まれることが、状況によっては生じてしまう。この場合、シール要素の圧搾を介して、確かに既にある程度のシールが管継手と配管端部との間に実現されているが、しかしながらそれにもかかわらず、係止接続部は全く確立されないか、又は正しく確立されないことも生じてしまう。少なくとも先ず機能するシールに基づいて、この欠陥は、液状の媒体が配管もしくは管継手を経て流れる場合に直ちには認められない。このような接続技術は、特に自動車の燃料システム内もしくは空気圧ブレーキシステム内にも使用される。従って、これらの接続技術は、その完璧な機能が保証されなければならない安全要素である。従って、正確には確立されない接続部が外から直接確認可能であるということは必要である。しかしながらこれは、従来技術から公知の管継手の場合は必ずしも容易に保証されていない。更に、正に配管端部に金属端部を形成する際に製造に条件付けられて、仕様によって必要とされるプラグの幾何学形状の正確な構成が必ずしも保証されていない。これは、最悪の場合、配管端部を構成する金属プラグ自身が、ロックされた状態で、（必要とされるよりも）少ない力の消費でもって引き出すことができる。従って、このような接続部は、安全要求にかなわない。
【０００３】
【発明が解決しようとする課題】
これに対して、本発明の基本である技術的な課題は、配管端部及び管継手の非常に機能確実な接続もしくはロックを確立することができ、特に、接続部もしくは係止接続部が正確に確立されたことが、容易に保証され、かつ認識可能である冒頭で述べた様式の管継手を提供することである。
【０００４】
【課題を解決するための手段】
この技術的な課題を解決するため、本発明は、少なくとも１つの端面に、外に向かって突出する少なくとも１つの係止突出部を有する配管端部を収容するための収容チャンバを備えるケースを有する配管のための管継手において、
収容チャンバ内に、収容チャンバ開口部を狭窄する少なくとも１つの係止要素が設けられていること、また、係止要素と収容チャンバ壁部との間に、少なくとも１つの自由空間が設けられていること、
係止要素が、配管端部を差し込む際に第１の差込み状態へと移行可能であり、この第１の差込み状態にあっては、係止要素が、係止突出部によって、自由空間内へと収容チャンバ開口部を拡開しつつ押圧されていること、
係止要素が、最終的な第２の差込み状態へと移行可能であり、この第２の差込み状態にあっては、係止突出部が、係止要素を背後から把持し、係止要素が、自由空間を解放しつつ、収容チャンバ開口部を狭窄するその元の状態へと戻されていること、
インタロック要素が、収容チャンバ壁部の少なくとも１つの開口部内での差込み状態をコントロールするために設けられていること、
インタロック要素が、第１の差込み状態にあっては自由空間の外側に配設されていること、また、インタロック要素が、第２の差込み状態にあっては自由空間内へと挿入可能であること、
を特徴とする管継手を教授する。インタロック要素が、第１の差込み状態にあっては自由空間内へと挿入可能でないことは、本発明の枠内にある。
【０００５】
配管の収容チャンバ内に係止可能な配管は、特に液状の媒体のために設けられている。配管は、例えば、燃料、ブレーキフルード等の通過伝導のために使用される。このような液体の場合、正確で密な接続が特に重要である。−ケースは、長手方向に貫通孔を備える。換言すれば、ケースは、長手方向に中心の貫通孔によって貫通把持される。収容チャンバは、貫通孔の構成要素である。ケースの第２の端面には、基本的に同様に配管端部を収容するための収容チャンバを設けることができる。しかしながらまた、第２の端面に、その上に例えば配管又はホースを挿入もしくは差し込むことができる継手端部もしくは輪郭が設けられていることも、本発明の枠内にある。この場合、配管又はホースは、継手端部と溶接することもできる。本発明による管継手のケースは、機能的に合成物質から成る。
【０００６】
係止要素が収容チャンバの収容チャンバ開口部を狭窄することは、本発明の枠内では、収容チャンバの内径が、係止要素の領域内、もしくは係止要素が設けられている箇所では係止要素無しよりも小さいことを意味する。配管端部の係止突出部は、本発明の枠内では、特にリング状の突出部を、即ち、配管端部の周囲に渡って、もしくは中空シリンダ形のプラグ端部の周囲に渡って取り巻く突出部を意味し、この突出部は、例えば取り巻く壁部の肥大部として形成することができる。最終的な差込み状態は、本発明の枠内では、係止接続部が完全かつ正確に確立されている状態を意味する。最終的なこの差込み状態では、係止突出部が係止要素を背後から把持する。差込み状態をコントロールするためのインタロック要素は、本発明の枠内では、インタロック要素のポジションもしくは状態で、最終的な差込み状態もしくは正確な係止接続部が得られたかどうかを認識することができることを意味する。−収容チャンバ内に突出すべき配管端部、もしくは、収容チャンバ内に突出すべきプラグは、一実施形によれば、繊維補強された合成物質構造部分から成り、この合成物質構造部分は、合成物質から成る配管内へと、又はゴムから成る配管内へと圧入されている。しかしながらまた、配管が金属からなる場合は、配管端部を構成するプラグを、直接配管に形成することができる。この場合、プラグは、配管と接続されているいかなる独立した構造部分ではなく、配管の部分である。
【０００７】
収容チャンバ内に、差込み方向で係止要素の後方に配設された少なくとも１つの、管継手と配管端部との間の接続部をシールするためのシール要素が設けられていることは、本発明の枠内にある。シール要素は、機能的に、貫通孔の周囲に渡って取り巻くシールリングである。係止接続部を確立した後、配管端部の外壁もしくはプラグの外壁は、シール要素と、特にシールリングと、直接接触している。
【０００８】
本発明の枠内で全く特別な意義を持つ非常に優れた実施形によれば、係止要素は、少なくとも部分的に弾性的に形成されている。部分的に弾性的とは、係止要素が、少なくとも領域的に弾性的に形成されていることを意味する。その際、係止要素の少なくとも一部分は、その弾性に基づいて、配管端部の係止突出部によって、自由空間内へと収容チャンバ開口部を拡開しつつ押圧される。その際、最終的な差込み状態にあっては、係止要素が、弾性的な復元力の作用の下にその元の状態へと戻されている。特に、係止要素は、合成物質から成る。
【０００９】
特に、係止要素は、収容チャンバの向かい合って位置する側面に配設された２つの係止アームを備え、これら両方の係止アームは、それぞれ１つの自由空間内へと押込み可能である。即ち、両方の係止アームは、配管端部の係止突出部によって２つの自由空間内へと押し込まれ、これらの自由空間は、収容チャンバの向かい合って位置する側面に配設されている。機能的に、両方の係止アームは、弾性的に形成されている。両方の係止アームは、差し込む際に、配管端部を自身の間に収容する。最終的な差込み状態にあっては、係止突出部は、係止アームの後方に存在し、従って、係止アームを背後から把持する。−管継手のためのシール機能は、係止要素の係止アームが互いに離間するように押圧された場合に初めて保証されている。
【００１０】
本発明の非常に優れた実施形によれば、係止要素が、Ｕ字形に形成されており、両方のＵ字脚部が、係止要素の向かい合って位置する両方の係止アームを構成する。特に、Ｕ字形の係止要素は、外から収容チャンバ内へと挿入可能もしくは差込み可能である。機能的に、Ｕ字形の係止要素のこの挿入もしくは差込みのために、Ｕ字脚部もしくは係止アームのための２つの開口部が収容チャンバ壁部内に設けられている。本発明の一実施形によれば、係止要素のＵ字ベース部が、係止要素の挿入された状態にあっては収容チャンバ壁部の一部分を構成し、その際、Ｕ字ベース部は、機能的に、この収容チャンバ壁部の外壁の一部分を構成する。特に、Ｕ字形の係止要素のＵ字ベース部は、同一平面上に収容チャンバの外壁で終わる。本発明の一実施形によれば、Ｕ字形の係止要素のＵ字ベース部はアーチ形に形成されている。
【００１１】
本発明の優れた実施形によれば、インタロック要素が、収容チャンバ壁部の少なくとも１つの開口部内へと係合し、第１の差込み状態にあっては、収容チャンバ壁部から外へと突出するように構成されている。この場合、インタロック要素の一方の部分が、少なくとも１つの開口部内へと係合し、他方の部分が、機能的にはインタロック要素の大部分が、収容チャンバの外壁から突出することは、本発明の枠内にある。インタロック要素のこの突出は、第１の差込み状態を信号化する。特に、インタロック要素は、この第１の差込み状態にあっては、はっきりと目視可能に収容チャンバの外壁から突出し、挿入可能でない。更に、係止接続部を確立した後、もしくは最終的な第２の差込み状態を実現した後、インタロック要素は、少なくとも１つの開口部内へと挿入可能である。この挿入の後、機能的に、未だインタロック要素の僅かな部分だけは、外から、もしくは収容チャンバの外壁に沿って目視可能である。
【００１２】
本発明の枠内で全く特別な意義を持つ非常に優れた実施形によれば、インタロック要素が、向かい合って位置する２つのインタロックアームを備え、これら両方のインタロックアームが、配管端部の第２の差込み状態にあっては、収容チャンバの向かい合って位置する２つの自由空間内へと挿入可能である。両方のインタロックアームは、機能的に、収容チャンバ壁部の２つの開口部内に設けられており、これら両方の開口部を経て自由空間内へと挿入可能である。両方の自由空間、及びこれら両方の自由空間内に包含されたインタロックアームが、特別に設けられた係止要素の両方の係止アームと同様に、収容チャンバの向かい合って位置する側面に配設されていることは、本発明の枠内にある。
【００１３】
本発明の非常に優れた実施形によれば、インタロック要素が、Ｕ字形に形成されており、このＵ字形のインタロック要素のＵ字脚部が、向かい合って位置する両方のインタロックアームを構成する。効果的にインタロック要素の大部分が収容チャンバの外壁から突出する第１の差込み状態にあっては、優れたＵ字形のインタロック要素が、橋状に、収容チャンバから突出し、挿入可能でない。次に、最終的な第２の差込み状態にあっては、Ｕ字形のインタロック要素の両方のＵ字脚部が、収容チャンバ壁部の２つの開口部を経て自由空間内へと挿入可能である。その後、Ｕ字形の係止要素のＵ字ベース部は、機能的に収容チャンバの外壁上に位置する。これにより、最終的な差込み状態が、従って正確な係止接続部が、実現されていることが信号化される。明確な信号化のために、インタロック要素は、機能的に管継手のケースとは違う色を有する。Ｕ字形のインタロック要素のＵ字脚部は、機能的に弾性的に形成されている。本発明によるインタロック要素は、特に合成物質から成る。
【００１４】
本発明の枠内で特別な意義を持つ優れた実施形によれば、インタロック要素が、挿入された状態にあっては、少なくとも１つの自由空間内への係止要素の押込みを阻止し、これにより、管継手と配管端部の係止接続部の解放を阻止するように構成されている。インタロック要素の挿入された状態は、最終的な第２の差込み状態と一致する。係止接続部の解放は、本発明の枠内では、配管端部もしくはプラグが、自由空間内へと係止要素をスライドさせつつ、管継手の収容空間から引き出し可能であることを意味する。
【００１５】
先ず、本発明の基本にある認識は、本発明による管継手でもって、非常に機能確実な係止接続部を、配管端部と管継手の収容チャンバとの間に確立することができることである。更に本発明の基本にある認識は、本発明によるインタロック要素でもって、簡単かつ効果的な方法で、配管端部の最終的な差込み状態が、従って正確かつ完全な係止接続部が得られているということを信号化できることである。加えて、本発明の基本にある認識は、更に、インタロック要素が係止アームをブロックすることによって、管継手と配管端部の係止接続部の不用意な解放を阻止するために、インタロック要素を使用することができることである。本発明による管継手は、通常、簡単で僅かにしか費用のかからない方法で、製造可能である。この管継手は、簡単で少ない構成要素によって際立ち、従って、簡単で明快な構造を備える。本発明による管継手によって得られる相当な利点を無視しすれば、この管継手は、それにもかかわらず非常に安価に製造可能である。本発明による管継手は、係止接続部の機能確実さに基づいて、特に、燃料、ブレーキフルード及び同様の液体のための配管を接続するために適する。
【００１６】
【発明の実施の形態】
以下で、本発明を、ただ１つの実施例を図示した図面を基にして詳細に説明する。
【００１７】
各図は、少なくとも１つの端面に、プラグとして形成された配管端部４を収容するための収容チャンバ３を備えるケース２を有する配管のための管継手１を示す。配管端部４は、外に向かって突出する係止突出部５を装備されており、この係止突出部は、特に図２及び４において認識可能である。係止突出部５は、この実施例にあっては、配管端部４の周囲に渡って取り巻く壁部肥大部の形をした突出部として形成されている。配管端部４及びこれ以上は図示されてない配管は、この実施例にあっては金属から成る。管継手１のケース２は、本実施例にあっては合成物質から成る。収容チャンバ３と向かい合って位置する管継手１の側には、特に、また本実施例にあっては、もみの木の輪郭として形成されている継手端部１９が設けられている。
【００１８】
収容チャンバ３内には、収容チャンバ開口部６を狭窄する係止要素７が設けられている。係止要素７は、特に、また本実施例にあっては、Ｕ字形に形成されており、両方のＵ字脚部は、向かい合って位置する係止アーム８を構成し、これらの係止アームは、特に、またこの実施例にあっては、弾性的に形成されている。係止要素７は、その両方の係止アーム８でもって、収容チャンバ壁部１０内の２つの開口部９を経て収容チャンバ３内へと外から挿入可能もしくは差込み可能である。この状態は、各図に図示されている。この場合、係止要素７のＵ字ベース部１１は、収容チャンバ壁部１０の一部分を構成するか、もしくは収容チャンバ壁部１０の外壁１２の一部分を構成する。Ｕ字ベース部は、機能的に、またこの実施例にあっては、同一平面上に収容チャンバ壁部１０の残りの外壁１２で終わる。このＵ字ベース部１１は、特に、またこの実施例にあっては、アーチ状に形成されている。係止要素７は、効果的に同様に合成物質から成る。
【００１９】
各図に図示された係止要素７の挿入された状態にあっては、係止アーム８と収容チャンバ壁部１０との間に２つの自由空間１３が形成されている。配管端部４を差し込む際は、係止要素７が、第１の差込み状態へと移行可能であり、この第１の差込み状態は、図２及び３に図示されている。この第１の差込み状態にあっては、係止要素７の係止アーム８が、係止突出部５によって自由空間１３内へと収容チャンバ開口部６を拡開しつつ押圧されている。これは、両方の係止アーム８がこの実施例におけるように弾性的に形成されている場合に、問題なく可能である。−更に、各図には、配管端部４の差込み状態をコントロールするためのインタロック要素１４が設けられている。特に、またこの実施例では、インタロック要素１４がＵ字形に形成されており、Ｕ字脚部は、向かい合って位置する両方のインタロックアーム１５を構成する。インタロック要素１４は、特に、またこの実施例にあっては、合成物質から成り、インタロックアーム１５は、機能的に弾性的に構成されている。図１〜３には、インタロック要素１４が、インタロックアーム１５の端部でもってのみ、収容チャンバ壁部１０内の２つのインタロック開口部１６内へとはめ込まれている。即ち、インタロック要素１４は、自由空間１３の外側に存在し、いわば橋状に収容チャンバ３の上に配設されている（特に図３を参照のこと）。配管端部４の第１の差込み状態（図２及び３）にあっては、インタロック要素１４を収容チャンバ３内へと押し込むこと、もしくはインタロックアーム１５を自由空間１３内へと押し込むことも可能でない。何故なら、これらの自由空間１３は、係止アーム８によってブロックされているからである。従って、収容チャンバ壁部１０から突出するインタロック要素１４は、管継手１が未だ第１の差込み状態に存在すること、もしくは、少なくとも最終的な第２の差込み状態及び正確な係止接続部の完成が未だ得られていないことを信号化する。
【００２０】
次に、係止要素７は、最終的な第２の差込み状態（図４及び５）へと移行させることができる。この第２の差込み状態にあっては、係止突出部５が係止要素７を背後から把持するか、もしくは、係止要素７の両方の係止アーム８及び弾性的な係止アーム８が、弾性的な復元力の作用及び自由空間１３の解放の下に収容チャンバ開口部６を狭窄する元の状態へと戻されている。最終的なこの第２の差込み状態にあっては、インタロック要素１４を収容チャンバ３内へと挿入することが可能である。何故なら、今や、インタロックアーム１５は、自由空間１３内へと侵入することができるからである。インタロック要素１４の挿入された状態は、図４及び５に図示されている。インタロック要素１４の挿入された状態にあっては、機能的に、インタロック要素１４のＵ字ベース部１７が収容チャンバ３の外壁１２上に位置する。
【００２１】
更に、各図には、シールリング１８として形成されたシール要素が図示されており、このシール要素は、収容チャンバ３内に配設されており、配管端部４を差し込む際に密接する。簡単であるために、各図には、シール要素だけ、もしくはシールリング１８だけが図示されている。基本的に、管継手１もしくは収容チャンバ３は、別のシール要素もしくはシールリング１８を備えることもできる。
【００２２】
この実施例にあっては、インタロック要素１４が挿入された状態（図４及び５）では、自由空間１３内への係止アーム８の押込みを阻止するように管継手が形成されている。即ち、自由空間１３は、いわば、係止アーム８のためのインタロックアーム１５によってブロックされる。これにより、効果的な方法で、管継手１と配管端部４の係止接続部の解放が阻止される。接続部は、インタロック要素１４がその初期状態へと引き出された後に、初めて解放することができる。これにより、自由空間１３は、解放され、係止要素７のＵ字ベース部１１に対する加圧は、係止アーム８を自由空間１３内へと拡開する。収容チャンバ３の自由な空間は、このように拡大され、その際、係止突出部５を有する配管端部４は、収容チャンバ３から引き出すことができる。
【００２３】
【発明の効果】
本発明により、配管端部及び管継手の非常に機能確実な接続もしくはロックを確立することができ、特に、接続部もしくは係止接続部が正確に確立されたことが、容易に保証され、かつ認識可能である管継手が得られる。
【図面の簡単な説明】
【図１】本発明による管継手（配管端部を除いた）を経る縦断面を概略図に示す。
【図２】第１の差込み状態にある配管端部もしくはプラグを有する図１による対象を概略図に示す。
【図３】矢印Ａの方向から見た図２による対象を概略図に示す。
【図４】第２の差込み状態にある配管端部を有する図１による対象を概略図に示す。
【図５】矢印Ｂの方向から見た図４による対象を概略図に示す。
【符号の説明】
１　　　管継手
２　　　ケース
３　　　収容チャンバ
４　　　配管端部
５　　　係止突出部
６　　　収容チャンバ開口部
７　　　係止要素
８　　　係止アーム
９　　　開口部
１０　　収容チャンバ壁部
１１　　Ｕ字ベース部
１２　　外壁
１３　　自由空間
１４　　インタロック要素
１５　　インタロックアーム
１６　　インタロック開口部
１７　　Ｕ字ベース部
１８　　シールリング
１９　　継手端部
【図１】
2004003635.tif 000003
【図２】
2004003635.tif 000004
【図３】
2004003635.tif 000005
【図４】
2004003635.tif 000006
【図５】
2004003635.tif 000007